(57)【特許請求の範囲】
【請求項１】
デッキプレートの下面に形成され、下向き開口縁の開口幅より上面幅が大きい下向きのレールに挿入され、ハンガーボルトを吊り下げるためのデッキプレート用吊り金具であって、
ハンガーボルトを螺通するナット部を中央に有する基板と、
該基板の左右両端に、前記レールの側壁と垂直になるように斜め下向きに屈曲形成された翼部と、
前記基板の前後端の少なくとも一方に上下長を左右長よりも長く下向きに屈曲形成された把手突片と、
を備えたことを特徴とするデッキプレート用吊り金具。
【発明の詳細な説明】
【０００１】
【発明の属する技術分野】
この発明は、建築物のコンクリート床の下面に設けられたデッキプレートに天井等を吊り下げるためのデッキプレート用吊り金具に関する。
【０００２】
【従来の技術】
建築物の床の下面に設けられたデッキプレートに天井を吊り下げたり、器具を吊り下げたりするためにハンガーボルトが用いられるが、このハンガーボルトをデッキプレートのレールに取り付けるための吊り金具として、従来図３に示すようなものがあった。これは、一部を切り欠いたフランジ状の金具で中央部にナットを形成したものであり、フランジの本来の径はレールの開口幅よりも大きく、切欠部の径がレールの開口幅よりも小さくなっているものである。
【０００３】
切欠部をレールの幅方向に合わせてフランジ部をレール内に挿入し、こののち切欠部をレールの長手方向に回転させることによって、フランジ部をレールの両側壁に係止するものである。
【０００４】
【発明が解決しようとする課題】
しかし、レールの幅にはバラツキがあるため、図３の構造のものでは、緩くて係止が不完全な場合が生じるおそれがあった。また、フランジを回転させて切欠部をレールの長手方向にしても、この位置で回転が固定されるわけではないため、ハンガーボルトをねじ込んでいる間に金具が再回転して切欠部がレールの幅方向に向いてしまい、抜け落ちてしまうという危険性があった。
【０００５】
この発明は、確実にレールに固定することができるデッキプレート用吊り金具を提供することを目的とする。
【０００６】
【課題を解決するための手段】
この発明は、デッキプレートの下面に形成され、下向き開口縁の開口幅より上面幅が大きい下向きのレールに挿入され、ハンガーボルトを吊り下げるためのデッキプレート用吊り金具であって、
ハンガーボルトを螺通するナット部を中央に有する基板と、
該基板の左右両端に、前記レールの側壁と垂直になるように斜め下向きに屈曲形成された翼部と、
前記基板の前後端の少なくとも一方に上下長を左右長よりも長く下向きに屈曲形成された把手突片と、
を備え、
右側翼部の前角および左側翼部の後角、または、右側翼部の後角および左側翼部の前角を面取りたことを特徴とする。
【０００７】
この発明のデッキプレート用吊り金具は、ハンガーボルトの先端をナット部に螺合させた状態でレールに取り付ける。左右の翼部をレールの長手方向に向けて金具全体をレール内に挿入する。そして、ハンガーボルトを支点にして、突片を押すことにより金具を回転させる。回転方向は翼部が面取りされている方向である。左右の翼部の面取りされている角の距離は、レールの側壁の幅とほぼ同じくらいにされているため、金具を９０度回転させて左右の翼部をレールの幅方向に向けたのちは、ハンガーボルトをねじ込むなどの通常の回転力では翼部がレールの長手方向に向いてしまうことはなく、誤って抜け落ちることがなくなる。そして、翼部が斜め下向きに形成されていることにより、レールの内壁に垂直に当接し、真っ直ぐ荷重を支持することができる。
【０００８】
【発明の実施の形態】
図面を参照してこの発明の実施形態であるデッキプレート用吊り金具について説明する。
【０００９】
図１はこの発明の実施形態であるデッキプレート用吊り金具の正面図、平面図および側面図である。図２は、同デッキプレート用吊り金具にハンガーボルトを嵌通させてデッキプレートに吊り下げた状態を示す図である。
【００１０】
デッキプレート用吊り金具１は、基板１０と、この基板１０の左右両側に斜め下向きに形成された翼部１２，２２および前端部に下向きに形成された突片２０を有している。
【００１１】
基板１０の中央部は切り開かれてその内面に雌ネジが形成されている。すなわち、基板１０の中央部にナット部１１が形成されている。切り開いて雌ネジを切ることにより、４山程度の雌ネジを形成することができる。
【００１２】
基板１０の左右両端から斜め下方に形成されている翼部１２，２２は、基板１０に対して下向きに約１５度折り曲げられ、左右両側やや下方に突き出すような形状にされている。そして平面図において、右翼部１２の下角および左翼部２２の上角は円弧状に面取りされ、それぞれ面取部１３，２３が形成されている。この右翼部の下角の面取部１３と左翼部の上角の面取部２３との距離が、デッキプレート（レール）３の内部の幅とほぼ等しくなっている。
【００１３】
この構造により、翼部１２，２２をレール３の長手方向に向けてこの吊り金具をレール３内に挿入し、平面図のａ方向に回転させることによって翼部１２，２２をレール３の幅方向に向けることができ、吊り金具１はレール３に係止される。吊り金具１を回転させるためには、先端をナット部１１に螺合させたハンガーボルト２を支点にし、突片２０を横から押せばよい。この状態でハンガーボルトをねじ込んでも吊り金具１がそれにつれて回転することはない。
【００１４】
以下、図２を参照してナット部１１にハンガーボルト２を挿入して、デッキプレート３に取り付ける手順について説明する。
まず、ハンガーボルト２の先端を吊り金具１のナット部１１に螺合させる。この状態で吊り金具１の翼部１２，２２をレール（デッキプレート）３の長手方向に合わせて、この吊り金具１をレール内部に挿入する。そして、こののち、ハンガーボルト２を支点にし、突片２０を横から押して、この吊り金具を矢印ａの方向に９０度回転させる。面取部１３，２３がレールの内壁３１，３２を通過するときに最も抵抗が大きいがそれを通過すると、翼部の端面１４，２４が内壁に通過するまで容易に回転させることができる。この状態で端面１４，２４はほぼ垂直に内壁に当接するため、係止が安定する。こののち、ハンガーボルト２を回転させて天井面３２に当接させる。これにより、このハンガーボルト２および左右の端面１４，２４の３点により、この吊り金具１およびハンガーボルト２はデッキプレート３に完全に固定される。
【００１５】
このように簡略な構成、且つ、簡略な取付操作でハンガーボルト２をデッキプレート３に吊り下げることができる。
【００１６】
なお、翼部１２，２２の端面には切欠部１５，２５が形成されているが、これは翼部１２，２２に弾力を持たせるためのものである。
【００１７】
また、面取部１３，２３を右翼部の下角、左翼部の上角に設けてもよい。
【００１８】
【発明の効果】
以上のようにこの発明によれば、側板の端面をデッキプレートに当接させるようにしたことにより、簡略な構成でハンガープレートを吊り下げ、その荷重を支持することができるようになる。これにより、構造を簡略化することができるため、製造コストを低くすることができる。
【図面の簡単な説明】
【図１】この発明の実施形態であるデッキプレート用吊り金具の正面図および側面図
【図２】同デッキプレート用吊り金具の使用状態を示す図
【図３】従来のデッキプレート用吊り金具を示す図
【符号の説明】
１…デッキプレート用吊り金具、２…ハンガーボルト、３…デッキプレート（レール）、
１０…基板、１１…ナット部、１２，２２…翼部、２０…突片、１３，２３…面取部、１４，２４……端面、１５，２５…切欠部、
３０，３１…側壁、３２…天井面
【図１】
0003649924.tif 000002
【図２】
0003649924.tif 000003
【図３】
0003649924.tif 000004